(57)【特許請求の範囲】
【請求項１】
挿入部の先端部分に吸引口が開口形成された内視鏡の先端部において、上記吸引口の開口部の外縁部分に、複数の突起を間隔をあけて突設することにより、部分によって高さの異なる段差を形成したことを特徴とする内視鏡の先端部。
【発明の詳細な説明】
【０００１】
【発明の属する技術分野】
この発明は、吸引口が開口形成された内視鏡の先端部に関する。
【０００２】
【従来の技術】
内視鏡の挿入部の先端には、体腔内の観察の支障になる粘液を排出したり、体腔内に送り込みすぎた空気を排出するために、吸引口が開口形成されている。
【０００３】
その様な吸引口は、内視鏡の挿入部先端を構成する先端部本体に単純に開口形成されている場合が多いが、例えば家庭用の電気掃除機で絨毯を吸い付けてしまうように、吸引口が体腔内粘膜に吸い付いて視野が見えなくなったり粘膜を傷つけてしまう場合がある。
【０００４】
そこで従来は、バネで付勢された凸没自在な筒状の弁体で吸引口を形成すると共に、先端部本体の外周部に開口する副吸引口を形成し、吸引口の開口部分が粘膜に押し付けられると、筒状弁体が奥に押し込まれて、それによって副吸引口が開き、吸引口からの吸引力が弱められるようにしていた（実開昭６０−４７５０２号）。
【０００５】
【発明が解決しようとする課題】
しかし、上述のように副吸引口を筒状弁体で開閉させるような構成は、内視鏡の挿入部先端という、スペースが極めて限られた部分においては極めて複雑なものであり、使用後の洗浄消毒が困難であったり、作動不良が発生しやすい等の問題がある。
【０００６】
そこで本発明は、極めて簡単な構成で挿入部先端の吸引口が体腔内粘膜に吸い付かないようにすることのできる内視鏡の先端部を提供することを目的とする。
【０００７】
【課題を解決するための手段】
上記の目的を達成するため、本発明の内視鏡の先端部は、挿入部の先端部分に吸引口が開口形成された内視鏡の先端部において、上記吸引口の開口部の外縁部分に、部分によって高さの異なる段差を形成したことを特徴とする。
【０００８】
なお、上記吸引口の開口部の外縁部の一部分に沿って鍔が突設されていてもよく、上記吸引口の開口部の外縁部分に複数の突起が間隔をあけて突設されていてもよい。
【０００９】
また、上記吸引口の開口部の外縁部の一部分が、上記挿入部の先端部分の外縁に達する溝によって低められていてもよい。
【００１０】
【発明の実施の形態】
図面を参照して実施の形態を説明する。
図２は、内視鏡の挿入部先端の正面図、図１はそのＩ−Ｉ断面図である。
【００１１】
図１に示されるように、挿入部可撓管の先端側の部分に設けられた湾曲部１０は、多数の節輪１１を図示されていないリベットで回動自在に連結して、その外面を網状管１２で被覆し、さらにその外面を弾力性のある外皮１３で被覆して構成されており、最先端の節輪１１に先端が連結された操作ワイヤ１４を遠隔的に牽引操作することにより、任意に湾曲させることができる。
【００１２】
湾曲部１０の先端に連結された先端部本体２０は、最先端の節輪１１に連結されて外面に露出しない金属ブロック部２０ａと、その前側に接合されて外面に露出する電気絶縁性のプラスチックブロック部２０ｂとによって形成されている。
【００１３】
図２に示されるように、先端部本体２０の先端面には、観察窓２１の両側に照明窓２２が配置され、観察窓２１の表面に空気と水を噴出させるための送気ノズル２３と送水ノズル２４がその近傍に突設されている。２５は、被写体に向かって水を噴出させるための副送水ノズルである。
【００１４】
２６は、先端部本体２０の先端面に開口形成された吸引口であり、処置具突出口も兼ねている。図１に示されるように、吸引口２６の奥の部分には吸引チャンネル３１が連通接続されている。
【００１５】
吸引チャンネル３１は、先端部分が先端部本体２０の金属ブロック部２０ａとプラスチックブロック部２０ｂにまたがって接着されており、挿入部内に全長にわたって引き通されて、図示されていない操作部に配置された吸引操作弁を介して、外部吸引装置に連通している。その結果、吸引操作弁を操作することによって、先端部本体２０表面の吸引口２６から吸引が行われる。
【００１６】
図１及び図２に示されるように、吸引口２６の開口部の外縁部分に沿って、吸引口２６の開口外縁を３分の２程度囲む範囲に鍔３２が突設されている。その突出高さは、例えば０．３ｍｍないし１ｍｍ程度である。
【００１７】
吸引口２６の外周の残りの３分の１程度の範囲は、先端部本体２０の表面と同じ面（低部３３）であり、鍔３２との間に段差が形成されている。この低部３３は、吸引口２６の開口外縁のうちの、先端部本体２０の外縁に近い側（Ａ部）に形成されている。
【００１８】
このように形成された内視鏡の先端部は、図１に示されるように、先端部本体２０の先端面が体腔内の粘膜面に接近したとき、先端部本体２０の外縁側に抜けた形になっている低部３３部分が粘膜に密着しないので、粘膜面が、破線で示されるように吸引口２６に吸い付けられることがない。
【００１９】
図３は、本発明の第２の実施の形態を示しており、吸引口２６の外縁近傍に鍔３２に代えて一対の突起３５，３５を吸引口２６の両側に突設したものである。この場合にも、先端部本体２０の外縁部に近い側（Ａ部）は、突起３５が形成されない低部になっている。なお、突起は三つ以上設けてもよい。
【００２０】
図４及び図５は、本発明の第３の実施の形態を示しており、観察窓２１の表面に向けて開口する送気送水ノズル３０が形成された先端キャップ４０を、弾力性のある部材で形成して先端部本体２０に対して着脱自在に設け、その先端キャップ４０に吸引口２６や鍔３２等を、図１及び図２に示される第１の実施の形態と同様に形成したものである。
【００２１】
図６は、本発明の第４の実施の形態を示しており、図３に示される第２の実施の形態の突起３５と同様の突起３５を、図４及び図５に示される第３の実施の形態と同様の先端キャップ４０に形成したものである。
【００２２】
図７及び図８は、本発明の第５の実施の形態を示しており、先端部本体２０の外縁に近い側（Ａ部）の吸引口２６の開口外縁に沿って鍔３２を突設したものである。
【００２３】
このように構成しても、図８に示されるように、吸引口２６への体腔粘膜の吸い付きが防止される。なおこの実施の形態においては、鍔３２が吸引口２６の開口外縁を４分の１程度しか囲まない範囲に形成されている。
【００２４】
図９及び図１０は、本発明の第６の実施の形態を示しており、吸引口２６の開口を先端部本体２０の先端面と同一面に形成して、先端部本体２０の外縁に近い側（Ａ部）において、吸引口２６の開口外縁と先端部本体２０の外縁との間を溝４１で割って、その部分を先端部本体２０の先端面より低く形成したものである。このように構成しても、図１０に示されるように、吸引口２６への体腔粘膜の吸い付きが防止される。
【００２５】
【発明の効果】
本発明によれば、吸引口が開口形成された内視鏡の先端部において、吸引口の開口部の外縁部分に、部分によって高さの異なる段差を形成したことにより、挿入部の先端面が体腔内の粘膜面に接近したとき、段差部の低くなっている部分が粘膜に密着しないので、極めて簡単な構成にもかかわらず粘膜面が吸引口に吸い付けられない。その結果、常に観察視野を確保することができ、粘膜面を傷つけることも無くなる。
【図面の簡単な説明】
【図１】本発明の第１の実施の形態のＩ−Ｉ断面図である。
【図２】本発明の第１の実施の形態の内視鏡挿入部の正面図である。
【図３】本発明の第２の実施の形態の内視鏡挿入部の正面図である。
【図４】本発明の第３の実施の形態の内視鏡挿入部の正面図である。
【図５】本発明の第３の実施の形態のＶ−Ｖ断面図である。
【図６】本発明の第４の実施の形態の内視鏡挿入部の正面図である。
【図７】本発明の第５の実施の形態の内視鏡挿入部の正面図である。
【図８】本発明の第５の実施の形態のVIII−VIII断面図である。
【図９】本発明の第６の実施の形態の内視鏡挿入部の正面図である。
【図１０】本発明の第６の実施の形態のＸ−Ｘ断面図である。
【符号の説明】
２０  先端部本体
２６  吸引口
３２  鍔
３３  低部
３５  突起
４１  溝
【図１】
0003650451.tif 000002
【図２】
0003650451.tif 000003
【図３】
0003650451.tif 000004
【図４】
0003650451.tif 000005
【図５】
0003650451.tif 000006
【図６】
0003650451.tif 000007
【図７】
0003650451.tif 000008
【図８】
0003650451.tif 000009
【図９】
0003650451.tif 000010
【図１０】
0003650451.tif 000011